(57)【特許請求の範囲】
【請求項１】
乾燥して収縮する木材をボルトとともに締結するためのバネ付きナットであって、コイル状バネと該コイル状バネの一方の端部に回動可能に取り付けられているナット部とからなり、上記コイル状バネは、３巻以上のコイルからなり、中側のコイルの内径が端部側のコイルの外径およびナット部の外径のいずれよりも大きく形成され、前記木材に締結された状態で２巻分の厚みになるとともに前記中側のコイルの少なくとも一部が前記端部側のコイルまたはナット部の下部に位置することにより、前記中側および端部側のコイルがナット部の座金を兼ねることを特徴とする木材締結用バネ付きナット。
【発明の詳細な説明】
【０００１】
【発明の属する技術分野】
本発明は乾燥して収縮する木材をボルトとともに締結するのに用いられる木材締結用バネ付きナットに関する。
【０００２】
【従来の技術】
ボルトとナットで部材を締結する際に、部材が振動を受けたり、収縮した場合の緩み止めとして、部材とナットとの間にバネ座金等を介して締結することが行われている。例えば、木材住宅の部材をボルトとナットで締結する場合、木材が乾燥して収縮すると、締結していたボルトが緩んでしまう為、実公平８−２４９３号公報に記載されているように、座金に切輪状ばねが係着されてなるバネ付き座金をボルト又はナットと部材との間に介してボルト締めを行うことが公知である。
【０００３】
【発明が解決しようとする課題】
しかしながら、上記従来のバネ付き座金は、木材の収縮等が大きい場合には、欠輪状バネの圧力だけでは十分対応できず、十分な緩み防止効果が得られないという不具合があった。また、収縮を見越してバネの巻を多くすることも考えられるが、バネの厚みが厚くなると部材から突出する部分が大きくなる不具合が生じてしまう。
【０００４】
本発明は上記従来技術の欠点を解決するためのものであり、緩み防止効果が大きいと共に、締結時の厚みを薄くすることが可能なバネ付きナットを提供することを目的とする。
【０００５】
【課題を解決するための手段】
本発明は、乾燥して収縮する木材をボルトとともに締結するためのバネ付きナットであって、コイル状バネと該コイル状バネの一方の端部に回動可能に取り付けられているナット部とからなり、上記コイル状バネは、３巻以上のコイルからなり、中側のコイルの内径が端部側のコイルの外径およびナット部の外径のいずれよりも大きく形成され、前記木材に締結された状態で２巻分の厚みになるとともに前記中側のコイルの少なくとも一部が前記端部側のコイルまたはナット部の下部に位置することにより、前記中側および端部側のコイルがナット部の座金を兼ねることを特徴とする木材締結用バネ付きナット、を要旨とするものである。
【０００６】
【発明の実施の形態】
以下、本発明を図面に基づき説明する。図１及び図２に示すように本発明バネ付きナットは、コイル状バネ２と該コイル状バネの一方の端部に回動可能に取り付けられているナット３とからなり、上記コイル状バネ２は、３巻のコイル状の場合、中側の中央のコイルの径が両端のコイルの径よりも大きく形成されている。
【０００７】
図２に示すようにバネ付きナット１は、ナット３の先端がかしめられたかしめ部４として形成され、コイル状バネ２の端部に取り付けられている。コイル状バネ２は図３に示すように、一方の端部（ナット３側）のコイル２ａの外径と他方の端部のコイル２ｂの外径が略同じに形成され、中央のコイル２ｃの内径が、上記の両端部のコイル２ａ、２ｂの外径よりも大きく形成されている。
【０００８】
ナット３は、図３に示すようにナット部３１と取り付け部３２とから構成される。ナット部３１は六角ナットが通常用いられるが、四角ナット等の他のナットを用いてもよい。取りつけ部３２はコイル状バネ２の端部に取りつけ可能な形状であればよく、具体的には、図３に示すようにナット３１に連なる筒型形状であって、その大きさは外側の直径が端部のバネの内部に挿通可能な大きさであって、その厚みはバネを構成するワイヤーの直径よりも若干大きく形成されている。
【０００９】
バネ付きナット１は図３に示すように、コイル状バネ２の端部側からナット３の取り付け部３２を挿通し、図１及び図２に示すように、該ナットの取り付け部３２の先端のかしめ部４をかしめることで、コイル状バネ２に回動可能に一体化することができる。
【００１０】
バネ付きナット１の使用に際しては、図４に示すように、部材５の挿通孔にボルト６を挿通し該ボルト６の先端部にバネ付きナット１を挿通し、該バネ付きナット１のナット３を回動し締めつけると、図５に示すように、コイル状バネ３が縮んで締結される。図５に示すように、ナットを締め付けて行くと部材５側の端部のコイル２ｂは、中のコイル２ｃの内部に入り込む。同じ径のコイルからなるコイル状バネを用いた場合は、コイル径が全て同じバネが圧縮されると３巻分の厚みとなる。これに対し上記バネ付きナットは、コイル状バネが２巻分の厚みで良いため、締結後のバネの厚みが薄くなる利点がある。
【００１１】
バネ付きナット１において、コイル状バネ２の巻数は３巻以上であってもよい。例えば図６に示すように、端部側のコイル２ａ、２ｂ、中心のコイル２ｃ、端部側のコイルと中心のコイルとの中間のコイル２ｄ、２ｅとからなる５巻に形成することができる。上記コイル状バネ２の径は、コイルの径が、中心のコイル２ｃ＞中間のコイル２ｄ、２ｅ＞端部側のコイルの順に小さくなるように形成されている。
【００１２】
図６に示すバネ付きナット１を締結すると、図７に示すように、コイル状バネ２の部材５側の端部のコイル２ｂが中間のコイル２ｅの内部に入り込み、更にそれらが中心のコイル２ｃの内部に入り込む。また、ナット部３側の端部のコイル２ａは中間のコイル２ｄの内部に入り込み、上記のコイルの上に位置し、コイル状バネの部分は２巻分の厚みに収まる。
【００１３】
コイル状バネ２の各コイル間の間隔は、収縮等を見越した適宜の間隔に形成することができる。
【００１４】
【発明の効果】
以上説明したように本発明バネ付きナットはバネとナットが一体に形成されている為、締結後に木材のヤセや収縮等により部材間隔が短くなっても締結が緩むのを防止できると共に、バネとナットを別々に準備してそれぞれをボルトに挿通する手間が省ける為、高所等の作業しにくい場所での作業が容易であり、作業性に優れる。更に、バネが複数巻のコイル状バネを用いているため、部材の収縮等が大きい場合でも十分緩み防止効果が得られると共に、コイル状バネの端部側のコイルに対し中側のコイルの径が大きい為、締結した際に中側のコイルの内部に端部側のコイルが入り込み、バネの部分の厚みを薄く形成できる。
【００１５】
また、コイル状バネの中側のコイルをナットの径よりも大きく形成した場合には、コイル状バネが座金を兼ねることができ、座金を使用せずにボルト締めが可能となる。
【図面の簡単な説明】
【図１】本発明バネ付きナットの１例を示す外観斜視図である。
【図２】図１のＩＩ−ＩＩ線縦断面図である。
【図３】図１のバネ付きナットの組立前の分解斜視図である。
【図４】図１のバネ付きナットの使用例を示す説明図であり、締結前の状態を示す。
【図５】図１のバネ付きナットの使用例を示す説明図であり、締結後の状態を示す。
【図６】本発明バネ付きナットの他の例の説明図である。
【図７】図６の締結後の状態を示す説明図である。
【符号の説明】
１    バネ付きナット
２    コイル状バネ
３    ナット
【図１】
0004008983.tif 000002
【図２】
0004008983.tif 000003
【図３】
0004008983.tif 000004
【図４】
0004008983.tif 000005
【図５】
0004008983.tif 000006
【図６】
0004008983.tif 000007
【図７】
0004008983.tif 000008